(57)【要約】【課題】顧客が包装対象物に最適な包装体を簡単に判断できる印刷物を提供する。【解決手段】袋、容器等の包装体についての情報が記載された包装体用印刷物であって、包装の対象となる包装対象物毎に項目分けされ、包装対象物の種類を示す包装対象物表示部１と、各包装対象物に適した包装体を示す包装体表示部２とが設けられたことを特徴とする包装体用印刷物である。【選択図】図１
0003139211.tif 000002
【実用新案登録請求の範囲】
【請求項１】
袋、容器等の包装体についての情報が記載された包装体用印刷物であって、包装の対象となる包装対象物毎に項目分けされ、包装対象物の種類を示す包装対象物表示部と、各包装対象物に適した包装体を示す包装体表示部とが設けられたことを特徴とする包装体用印刷物。
【請求項２】
前記包装体表示部には、包装体の種類及び性質が記載されたことを特徴とする請求項１に記載の包装体用印刷物。
【請求項３】
前記包装体表示部には、包装体に包装対象物を包装する方法が記載されたことを特徴とする請求項１又は２に記載の包装体用印刷物。
【請求項４】
別ペ−ジに、包装体毎に項目分けして、各包装体の種類及び性質を示した包装体記載部が設けられており、前記包装体表示部には、その包装体に対応する包装体記載部のペ−ジ索引が記載されたことを特徴とする請求項１〜３のいずれかに記載の包装体用印刷物。
【請求項５】
前記包装対象物表示部は、その容量毎にさらに細かく項目分けされたことを特徴とする請求項１〜４のいずれかに記載の包装体用印刷物。
【請求項６】
前記包装対象物表示部は、複数種類の包装対象物を包括する中グループ毎にグループ分けして記載されたことを特徴とする請求項１〜５のいずれかに記載の包装体用印刷物。
【請求項７】
前記包装対象物表示部は、複数の前記中グループを包括する大グループ毎にグループ分けして記載されたことを特徴とする請求項６記載の包装体用印刷物。
【考案の詳細な説明】
【技術分野】
【０００１】
本考案は、商品についての案内などを記載したカタログ等の印刷物に関するものである。
【背景技術】
【０００２】
カタログ等の印刷物は、商品についての案内などが記載されたものであり、その分かりやすさは商品の売れ行きにつながり、販売促進にとって大変重要な役割を果たしている。
【考案の開示】
【考案が解決しようとする課題】
【０００３】
袋、容器等の包装体に関するカタログの場合、例えば、包装体を順番に並べて記載し、併せて各包装体の品番、大きさ等の詳細な情報を記載するのが一般的である。しかし、顧客は、包装対象物をどの包装体に収容するかについては、全ての包装体の記載内容を読んで、最適な包装体を判断しなければならず、時間がかかり面倒である。
【０００４】
そこで、本考案は、上記課題を解決するためになされたもので、顧客が包装対象物に最適な包装体を簡単に判断できる印刷物の提供を目的とするものである。
【課題を解決するための手段】
【０００５】
上記目的を達成するため、本考案は、袋、容器等の包装体についての情報が記載された包装体用印刷物であって、包装の対象となる包装対象物毎に項目分けされ、包装対象物の種類を示す包装対象物表示部と、各包装対象物に適した包装体を示す包装体表示部とが設けられたことを特徴とする包装体用印刷物である。
【０００６】
包装対象物毎とは、包装対象物の種類毎という意味である。包装体に関する印刷物であるにも関わらず、顧客側の視点にたって、その包装対象物毎に項目分けして記載され、各包装対象物に適した包装体が表示されているため、顧客は目的の包装対象物に適した包装体を一見して判断することができる。なお、印刷物としては、カタログが挙げられるが、包装体に関する情報が記載されたものであれば特に限定されるものではない。
【０００７】
包装体表示部には、包装体の種類及び性質を記載することができる。包装体の種類としては、包装体の名前、品番、タイプ、号数、イラスト等の包装体を特定できる情報が挙げられ、包装体の性質としては、耐熱性、耐油性、耐水性等の機能の有無が挙げられるが、これらに限定されるものではない。
【０００８】
また、包装体表示部には、包装体に包装対象物を包装する方法を記載することができる。包装する方法とは、特に限定されるものではないが、例えば、殺菌のためのボイル時間・温度、エア状態（真空、脱気、含気）、保存方法（冷蔵、冷凍、常温）、賞味期限などがある。各包装対象物に適した包装体を用いて包装する方法が記載されているので、顧客はより包装体を選びやすく、使用しやすい。
【０００９】
別ペ−ジに、包装体の種類毎に項目分けして、各包装体の種類及び性質を示した包装体記載部が設けられており、包装体表示部には、その包装体に対応する包装体記載部のペ−ジ索引を記載することができる。包装対象物毎の項目から包装対象物を見つけ、包装体表示部からそれに適した包装体を見つけた後、ペ−ジ索引に記載されたペ−ジを見れば、包装体記載部でその包装体についての集約された情報を得ることができる。
【００１０】
包装対象物表示部には、包装対象物の名前やそのイラスト、写真などを記載することができる。
【００１１】
包装対象物表示部は、その容量毎にさらに細かく項目分けすることができる。目的の包装対象物の種類だけでなく、その容量に応じて最適な包装体を選ぶことができ、より分かりやすいものとなる。
【００１２】
また、包装対象物表示部は、複数種類の包装対象物を包括する中グループ毎にグループ分けして記載することができる。例えば、豆類、野菜、麺類、漬物等のようにグループ分けする。また、包装対象物表示部は、複数の中グループを包括する大グループ毎にグループ分けして記載することができる。例えば、農産加工品、農産物、水産加工品、水産物、畜産・酪農加工品、飲料、菓子・パン類、スープ・調味料、惣菜、非食品、ペットフード等である。このように、グループ分けすることにより、目的の包装対象物を発見しやすくなる。
【考案の効果】
【００１３】
本考案によると、包装体に関する印刷物であるにも関わらず、その包装対象物毎に項目分けされ、各包装対象物に適した包装体が表示されているため、顧客は目的の包装対象物に適した包装体を一見して判断することができる。
【考案を実施するための最良の形態】
【００１４】
以下、本考案の実施形態であるカタログを図面に基づいて説明する。図１は本実施形態のカタログの１ペ−ジであって、包装対象物毎に項目分けして表したペ−ジを示す図、図２は本実施形態のカタログの１ペ−ジであって、包装体毎に項目分けして表したペ−ジを示す図である。
【００１５】
本カタログは、袋、容器等の包装体についての情報が記載された包装体用カタログであって、図１に示すように、包装対象物の種類を示す包装対象物表示部１と、各包装対象物に適した包装体を示す包装体表示部２とが設けられる。包装対象物表示部１は、包装の対象となる包装対象物毎に項目分けされ、種類毎に行を変えて順番に記載される、カタログは紙製であるが、プラスチック等の他の素材を用いてもよい。
【００１６】
また、包装対象物表示部１は、農産加工品、農産物、水産加工品、水産物、畜産・酪農加工品、飲料、菓子・パン類、スープ・調味料、惣菜、非食品、ペットフード等のように大きな概念でグループ分けされ、各大グループ名がページの端部に順番に記載された大グループ表示部３が設けられる。大グループはペ−ジを変えてグループ分けしており、該当ペ−ジの大グループ表示部３は他の大グループ表示部３と異なるデザインとされる。本実施形態においては、該当ページの大グループ表示部３は、黒地に白字でグループ名を記載し、他の大グループ表示部３は、白地に黒字でグループ名を記載することにより、区別をつけている。なお、この態様に限定されるものではない。
【００１７】
さらに、包装対象物表示部１は、各大グループについて、数種類の包装対象物を包括する中位の概念で、さらにグループ分けされる。たとえば、農産加工品の大グループの場合は、豆類、野菜、麺類、漬物のように中位の概念でグループ分けされ、各中グループ名を示す中グループ表示部４がグループごとに区切りを入れるように記載される。このように、大・中にグループ分けすることにより、目的の包装対象物を発見しやすい。
【００１８】
さらに、包装対象物表示部１は、その容量毎にさらに細かく項目分けするために、その容量を示した量目記載部１ａが設けられる。目的の包装対象物の種類だけでなく、その容量に応じて最適な包装体を選ぶことができ、より分かりやすいものとなる。
【００１９】
包装体表示部２には、包装体の種類及び包装体に包装対象物を包装する方法が記載される。包装体の種類としては、包装体のタイプを示すタイプ表示部２ａ、号数を示す号数表示部２ｂが設けられる。また、包装体に包装対象物を包装する方法としては、殺菌のためのボイル温度を示す表示部２ｃ、そのボイル時間を示す表示部２ｄ、エア状態（真空、脱気、含気）を示す表示部２ｅ、包装方法を示す表示部２ｆ、脱酸素剤の有無を示す表示部２ｇ、乾燥剤の有無を示す表示部２ｈ、保存方法（冷蔵、冷凍、常温）を示す表示部２ｉ、賞味期限を示す表示部２ｊが設けられる。これらの表示部２ａ〜２ｊが対応する行に列を変えて記載されている。このように、各包装対象物に適した包装体を用いて包装する方法が記載されているので、顧客はより包装体を選びやすい。なお、表示項目はこれらに限定されるものではない。
【００２０】
図２に示すように、上記の包装対象物毎に項目分けされたペ−ジとは別ペ−ジに、包装体毎に項目分けして、包装体の種類及び性質を示した包装体記載部５が設けられている。包装体記載部５には、包装体の名前５ａ、イラスト又は写真５ｂ、構成５ｃ、特徴５ｄ、用途５ｅ、商品コード５ｆ、号数５ｇ、大きさ５ｈ、枚数５ｉ、重量５ｊ等の詳細な情報が集約されて記載されている。なお、記載内容はこれらに限定されるものではない。
【００２１】
さらに、包装体表示部２には、包装体表示部２に記載された包装体に対応する包装体記載部５のペ−ジ索引を記載したペ−ジ索引表示部２ｋが設けられる。包装対象物毎の項目から包装対象物を見つけ、包装体表示部２からそれに適した包装体を見つけた後、ペ−ジ索引表字部２ｋに記載されたペ−ジを見れば、包装体記載部５でその包装体についての集約された情報を得ることができる。
【００２２】
以上の構成によると、例えば、水煮のたけのこを３５０ｇ袋詰めしたい場合には、大グループ表示部３から大グループ（農産加工品）を選び、中グループ表示部４から中グループ（水煮・煮豆）を選ぶ。そして、量目記載部１ａから３５０ｇの欄を選べば、タイプ表示部２ａ及び号数表示部２ｂから、最適な包装体の種類（Ａタイプ、号数９）を見つけることができる。
【００２３】
さらに、その包装体を用いて３５０ｇの水煮のたけのこを包装する方法の情報を、殺菌のためのボイル温度を示す表示部２ｃ、そのボイル時間を示す表示部２ｄ、エア（真空、脱気、含気）の表示部２ｅ、包装方法の表示部２ｆ、脱酸素剤の有無を示す表示部２ｇ、乾燥剤の有無を示す表示部２ｈ、保存方法（冷蔵、冷凍、常温）を示す表示部２ｉ、賞味期限の表示部２ｊから得ることができる。すなわち、「ボイルを９６℃で６０分行い、自動給袋機で真空パックをする。冷蔵保存で賞味期限は３ヶ月である。」という情報を得ることができる。
【００２４】
そして、ペ−ジ索引表示部２ｋから、包装体について集約された詳細な情報が記載された包装体表示部２のペ−ジを得ることができる。
【００２５】
このように、包装体に関するカタログであるにも関わらず、顧客側の視点にたって、その包装対象物毎に項目分けされ、各包装対象物に適した包装体が表示されているため、顧客は目的の包装対象物に適した包装体を一見して判断することができる。
【図面の簡単な説明】
【００２６】
【図１】本実施形態のカタログの１ペ−ジであって、包装対象物毎に項目分けして表したペ−ジを示す図
【図２】本実施形態のカタログの１ペ−ジであって、包装体毎に項目分けして表したペ−ジを示す図
【符号の説明】
【００２７】
１    包装対象物表示部
１ａ  量目記載
２    包装体表示部
２ａ  タイプ表示部
２ｂ  号数表示部
２ｃ  ボイル温度を示す表示部
２ｄ  ボイル時間を示す表示部
２ｅ  エアの表示部
２ｆ  包装方法の表示部
２ｇ  脱酸素剤の有無を示す表示部
２ｈ  乾燥剤の有無を示す表示部
２ｉ  保存方法（冷蔵、冷凍、常温）を示す表示部
２ｊ  賞味期限を示す表示部
２ｋ  索引表示部
３    大グループ表示部
４    中グループ表示部
５    包装体記載部
【図１】
0003139211.tif 000003
【図２】
0003139211.tif 000004
【手続補正書】
【提出日】平成19年11月26日(2007.11.26)
【手続補正１】
【補正対象書類名】実用新案登録請求の範囲
【補正対象項目名】全文
【補正方法】変更
【補正の内容】
【実用新案登録請求の範囲】
【請求項１】
袋、容器等の包装体についての情報が記載された包装体用印刷物であって、包装の対象となる包装対象物毎に項目分けされ、包装対象物の種類を示す包装対象物表示部と、各包装対象物に適した包装体を示す包装体表示部とが、横方向に並べて配置されたことを特徴とする包装体用印刷物。
【請求項２】
前記包装体表示部には、包装体の種類及び性質が記載されたことを特徴とする請求項１に記載の包装体用印刷物。
【請求項３】
前記包装体表示部には、包装体に包装対象物を包装する方法が記載されたことを特徴とする請求項１又は２に記載の包装体用印刷物。
【請求項４】
別ペ−ジに、包装体毎に項目分けして、各包装体の種類及び性質を示した包装体記載部が設けられており、前記包装体表示部には、その包装体に対応する包装体記載部のペ−ジ索引が記載されたことを特徴とする請求項１〜３のいずれかに記載の包装体用印刷物。
【請求項５】
前記包装対象物表示部は、その容量毎にさらに細かく項目分けされたことを特徴とする請求項１〜４のいずれかに記載の包装体用印刷物。
【請求項６】
前記包装対象物表示部は、複数種類の包装対象物を包括する中グループ毎にグループ分けして記載されたことを特徴とする請求項１〜５のいずれかに記載の包装体用印刷物。
【請求項７】
前記包装対象物表示部は、複数の前記中グループを包括する大グループ毎にグループ分けして記載されたことを特徴とする請求項６記載の包装体用印刷物。
【手続補正２】
【補正対象書類名】明細書
【補正対象項目名】０００５
【補正方法】変更
【補正の内容】
【０００５】
上記目的を達成するため、本考案は、袋、容器等の包装体についての情報が記載された包装体用印刷物であって、包装の対象となる包装対象物毎に項目分けされ、包装対象物の種類を示す包装対象物表示部と、各包装対象物に適した包装体を示す包装体表示部とが、横方向に並べて配置されたことを特徴とする包装体用印刷物である。